(57)【特許請求の範囲】
【請求項１】
室内の音を吸音するための建築物用の吸音体セットであって、
吸音体と、
前記吸音体の設置対象物であるパネルと、
前記吸音体を前記パネルに設置するための装着手段とを備えており、
前記パネルは、所定ピッチで穴が配列されており、
前記装着手段を前記パネルの穴に装着することにより、前記吸音体を前記パネルに設置可能とし、
前記パネルは、縦方向に所定の縦ピッチで配列された穴の列を複数形成し、かつ横方向に所定の横ピッチで配列された穴の列を複数形成しており、縦方向に配列された穴の列において、両端の各穴と前記パネルの縦方向の端部との最短距離が、前記縦ピッチの１／２であり、横方向に配列された穴の列において、両端の各穴と前記パネルの横方向の端部との最短距離が、前記横ピッチの１／２であるたことを特徴とする吸音体セット。
【請求項２】
前記吸音体は、前記パネルに取り付ける取付体と、前記取付体に組み合わさるケース体とを備えており、前記取付体に前記ケース体を組み合わさせたときに、前記取付体の前記パネルへの取り付け側と反対側が前記ケース体で覆われるとともに、内部に中空空間が形成される請求項１に記載の吸音体セット。
【請求項３】
室内の音を吸音するための建築物用の吸音体の設置方法であって、
吸音体と、
前記吸音体の設置対象物であるパネルと、
前記吸音体を前記パネルに設置するための装着手段とを用意し、
前記パネルは、所定ピッチで穴を配列しておき、
前記装着手段を前記パネルの穴に装着することにより、前記吸音体を前記パネルに設置し、
前記パネルは、縦方向に所定の縦ピッチで配列された穴の列を複数形成し、かつ横方向に所定の横ピッチで配列された穴の列を複数形成しており、縦方向に配列された穴の列において、両端の各穴と前記パネルの縦方向の端部との最短距離が、前記縦ピッチの１／２であり、横方向に配列された穴の列において、両端の各穴と前記パネルの横方向の端部との最短距離が、前記横ピッチの１／２であることを特徴とする吸音体の設置方法。
【請求項４】
前記パネルを、建築物の施工時にあらかじめ建築物に固定しておく請求項３に記載の吸音体の設置方法。
【請求項５】
前記吸音体は、前記パネルに取り付ける取付体と、前記取付体に組み合わさるケース体とを備えており、前記取付体に前記ケース体を組み合わさせたときに、前記取付体の前記パネルへの取り付け側と反対側が前記ケース体で覆われるとともに、内部に中空空間が形成される請求項３又は４に記載の吸音体の設置方法。
【発明の詳細な説明】
【技術分野】
【０００１】
本発明は、室内の音を吸音するための建築物用の吸音体セット及び吸音体の設置方法に関する。
【背景技術】
【０００２】
室内の音を吸音するための吸音体は、試験用の無響室のみならず、住宅のリビングルームやオフィスの会議室等においても用いられている。吸音体を室内の壁面や天井面に取り付けることにより、室内の音の反響を抑えることができる。このことにより、オーディオの音楽等を聴き易くしたり、会話をし易くすることができる。下記特許文献１に記載の吸音材は、台形状又は角錐形状に成形したものであり、天井及び壁面に敷きつめて凹凸天井面及び凹凸壁面を形成して、吸音効果のみならず、インテリア効果も奏するようにしたものである。
【先行技術文献】
【特許文献】
【０００３】
【特許文献１】実開昭６１−２０６０９号公報
【発明の概要】
【発明が解決しようとする課題】
【０００４】
しかしながら、前記特許文献１の吸音材は、天井及び壁面に直接取り付けるものであるため、配置の決定に時間を要し、作業時の吸音材の位置決めも容易ではなく、設置作業は時間と手間のかかるものであった。また、吸音材を取り付けた後の配置の変更は困難であり、吸音材の配置決定は自由度の高いものではなかった。
【０００５】
本発明は、前記のような従来の問題を解決するものであり、設置作業の手間を軽減でき配置の自由度の高い吸音体セット及び吸音体の設置方法を提供することを目的とする。
【課題を解決するための手段】
【０００６】
前記目的を達成するために、本発明の吸音体セットは、室内の音を吸音するための建築物用の吸音体セットであって、吸音体と、前記吸音体の設置対象物であるパネルと、前記吸音体を前記パネルに設置するための装着手段とを備えており、前記パネルは、所定ピッチで穴が配列されており、前記装着手段を前記パネルの穴に装着することにより、前記吸音体を前記パネルに設置可能としたことを特徴とする。
【０００７】
本発明の吸音体の設置方法は、室内の音を吸音するための建築物用の吸音体の設置方法であって、吸音体と、前記吸音体の設置対象物であるパネルと、前記吸音体を前記パネルに設置するための装着手段とを用意し、前記パネルは、所定ピッチで穴を配列しておき、前記装着手段を前記パネルの穴に装着することにより、前記吸音体を前記パネルに設置することを特徴とする。
【０００８】
前記本発明の吸音体セット及び吸音体の設置方法によれば、設置対象物である構造体にパネルを固定した後は、パネルの穴の位置に装着手段を介して吸音体を設置すればよいので、位置決め、位置合わせ等の調整作業は簡素化され、設置作業の時間も手間も軽減される。また、吸音体を一旦設置した後であっても、装着手段を取り外して設置位置を変更できるので、設置状態を確認しながら適宜配置変更が可能になり、配置の自由度が高くなる。
【０００９】
前記本発明の吸音体の設置方法においては、前記パネルを、建築物の施工時にあらかじめ建築物に固定しておくことが好ましい。この構成によれば、パネル建材に代えてパネルを用いるので、パネル建材自体が不要になるとともに、パネル建材の固定作業も不要になる。加えて、吸音体の設置可能性のある部分に広範囲にパネルを固定しておけば、後は必要な範囲を適宜選択して吸音体を固定すればよいので、所望のレイアウトを実現し易くなる。パネルに吸音体を設置しない余剰部分ができても、パネルの穴をパテ等で埋めて壁紙等の表面処理をすればよい。
【００１０】
前記本発明の吸音体セット及び吸音体の設置方法においては、前記吸音体は、前記パネルに取り付ける取付体と、前記取付体に組み合わさるケース体とを備えており、前記取付体に前記ケース体を組み合わさせたときに、前記取付体の前記パネルへの取り付け側と反対側が前記ケース体で覆われるとともに、内部に中空空間が形成されることが好ましい。この構成によれば、吸音効果は取付体の形状で確保すればよく、ケース体の外観形状は、必ずしも吸音効果の高いものとする必要がない。すなわち、ケース体の外観形状は意匠的効果を意識したものにすることができ、吸音体を設置したときに見栄えのよいものとしたり、好みに応じたものにすることができる。また、中空空間にウレタンフォーム等の吸音材を入れて、吸音効果をより高めることが可能になる。さらに、取付体にケース体を組み合わせると、取付体の表面はケース体で覆われて隠れるので、吸音体の内部構造は外側からは見えなくなる。このため、内部の吸音構造も装着手段も隠れて見えなくなり、このことは意匠的効果の発揮に役立つとともに、取付体に形成した吸音構造に埃が堆積することも防止できる。また、この構成は、外観形状の異なる吸音体を製造する場合にも有利になる。すなわち、ケース体の外観の一部の形状を変更しても、基本形状は同じであるので、外観形状毎に金型全体を用意する必要はなく、変更部分に対応する部分のみ金型を交換すればよい。
【００１１】
また、前記本発明の吸音体セット及び吸音体の設置方法においては、前記パネルは、縦方向に所定の縦ピッチで配列された穴の列を複数形成し、かつ横方向に所定の横ピッチで配列された穴の列を複数形成しており、縦方向に配列された穴の列において、両端の各穴と前記パネルの縦方向の端部との最短距離が、前記縦ピッチの１／２であり、横方向に配列された穴の列において、両端の各穴と前記パネルの横方向の端部との最短距離が、前記横ピッチの１／２であることが好ましい。この構成によれば、吸音体の設置は、１枚のパネル上のみに限られるのではなく、他のパネルに跨って設置することが可能になる。このことにより、吸音体の配置の自由度が高まるともに、吸音体の配置を変更する際の配置の自由度も高まる。
【発明の効果】
【００１２】
本発明によれば、構造体にパネルを固定した後は、パネルの穴の位置に装着手段を合わせて吸音体を設置すればよいので、位置決め、位置合わせ等の調整作業は軽減され、設置作業の時間も手間も軽減される。また、吸音体を一旦設置した後であっても、取り外して設置位置を変更できるので、設置状態を確認しながら適宜配置変更が可能になり、配置の自由度が高くなる。
【図面の簡単な説明】
【００１３】
【図１】本発明の一実施形態に係る吸音体の斜視図。
【図２】図１に示した吸音体の分解斜視図。
【図３】図２に示した取付体の平面図。
【図４】本発明の一実施形態において吸音体を設置する様子を示す斜視図。
【図５】本発明の一実施形態において装着手段を吸音体に取り付ける様子を示す分解斜視図。
【図６】本発明の一実施形態において吸音体を設置する工程を時系列的に示した斜視図。
【図７】本発明の一実施形態において装着手段をパネルの穴に装着する直前の状態の１つ目の例を示す斜視図。
【図８】本発明の一実施形態において装着手段をパネルの穴に装着する直前の状態の２つ目の例を示す斜視図。
【図９】本発明の一実施形態において装着手段をパネルの穴に装着する直前の状態の３つ目の例を示す斜視図。
【図１０】本発明の一実施形態に係る吸音体の別の例を示す斜視図。
【図１１】本発明の一実施形態に係る吸音体の別の例を示す斜視図。
【発明を実施するための形態】
【００１４】
以下、本発明の一実施形態について、図面を参照しながら説明する。図１は、本発明の一実施形態に係る吸音体１の斜視図を示している。吸音体１は音の反響を小さくする消音効果を奏することを主目的としたものであるが、あわせて他の防音効果例えば遮音効果を奏するものでもよい。図２は図１に示した吸音体１の分解斜視図を示している。吸音体１は、図２に示したように、取付体２と、取付体２に組み合わさるケース体３とを備えている。図２においてケース体３は、下側が開口した凹状になっており、図１のように取付体２にケース体３を組み合わさせた状態では、内部に中空空間が形成される。この構成によれば、中空空間にウレタンフォーム等の吸音材を入れて、吸音効果をより高めることが可能になる。
【００１５】
図３は、図２に示した取付体２の平面図を示している。取付体２には、穴４が設けられている。詳細は後に説明するとおり、穴４に装着手段８（図５参照）を固定した状態で、装着手段８をパネル６の穴７（図７参照）に装着することにより、吸音体１をパネル６に取り付けることが可能になる。図２、３に示したように、取付体２には多数の凸部５を形成しており、取付体２の表面には凹凸で構成された吸音構造が形成されている。吸音構造は、図２の構造に限るものではなく、用途等に応じて適宜決定すればよい。取付体２及びケース体３の材料については、特に限定はない。吸音効果を奏する材料が望ましいが、これに限るものではなく、吸音効果の低い材料であっても、開口を設ける等の仕様により吸音効果を発揮させることが可能である。材料の一例として、不繊布が挙げられる。不繊布は吸音効果があり、金型による成形が可能であるとともに、風合や手触りが良好で質感が高くなる。
【００１６】
図４は、本実施形態に係る吸音体１を設置する様子の一例を示す斜視図である。本図は、建築物の施工時に吸音体セット１０を用いる例を示している。本実施形態では、吸音体１は吸音体セット１０の構成部品として用意されている。吸音体セット１０は、吸音体１、パネル６及び装着手段８（図５参照）を備えている。吸音体１は、建築物の構造体１１に直接設置するのではなく、パネル６に設置する。例えば、先ず構造体１１にパネル６を固定し、続いてパネル６に吸音体１を設置する。パネル６の構造体１１への固定方法は特に限定はなく、接着でもよく、ねじによる締め付けでもよい。また、吸音体セット１０は施工済みの完成した建築物に用いてもよい。この場合は、パネル６の固定対象は、建築物の壁面や天井面そのものとなる。
【００１７】
図５は、装着手段８を吸音体１に取り付ける様子を示す分解斜視図である。装着手段８は、取付体２に形成された穴４（図３参照）に装着する。装着手段８の材質は、特に限定はなく、樹脂でも金属でもよい。装着手段８の構造も特に限定はなく、穴４（図３参照）に固定可能であり、かつパネル６の穴７（図７参照）に固定可能な構造であればよい。図５に示した装着手段８は、ピン状部材であり、横方向（ピンの軸方向に直交する方向）に伸縮する弾性部材１２、１３が一体になっている。この構成によれば、穴４、７に装着手段８を取り付ける際には、弾性部材１２、１３が縮み、穴４、７に取り付けた後は弾性部材１２、１３が復元するので、穴４、７への取り付けが強固になる。
【００１８】
図５では、装着手段８は、取付体２の裏面側から取り付ける例を示しているが、装着手段８を取付体２の表面側から取り付けてもよい。表面側から取り付ける場合は、例えば樹脂性のピンやリベットが適している。また、装着手段８は複数部材で構成されたものでもよく、例えばグロメットにピン状部材を挿通させ、グロメットが開くことにより、部材同士を結合させるものでもよい。また、本実施形態では、装着手段８の取付体２への固定に穴４（図３参照）を利用しているが、装着手段８は取付体２へ固定できればよく、この構成に限るものではない。
【００１９】
図６（ａ）〜図６（ｅ）は、建築物の施工時において、吸音体１を設置する工程を時系列的に示した斜視図である。図６（ａ）は図４に相当し、構造体１１にパネル６を固定する直前の状態を示している。図６（ｂ）は、構造体１１にパネル６を固定した状態を示している。建築物の施工時においては、構造体１１にはパネル建材を固定するところ、本実施形態ではこれに代えて、吸音体セット１０の構成部品であるパネル６を固定している。パネル６の大きさは特に限定はないが、短辺と長辺との比が１対２としたものが好ましい。この比率であれば、図６（ｂ）のように、縦配置のパネル６ａとパネル６ｂの短辺に横配置のパネル６ｃの長辺が一致し、まとまりよく配置できる。
【００２０】
パネル６の短辺と長辺との比を１対２とした場合、寸法は短辺を９１０ｍｍ、長辺を１８２０ｍｍとすることが好ましい。住宅の壁面や天井面には、通常前記寸法のパネル建材を並べて用いるため、パネル６を前記寸法にしておけば、パネル６を壁面や天井面に過不足なく固定できる場合が多くなる。また、吸音体セット１０を施工済みの完成した住宅に用いる場合であっても、住宅に前記寸法のパネル建材が用いられていれば、パネル６をパネル建材の位置に合わせて固定すればよい。この場合は前記寸法のパネル６を用いれば固定作業は画一的となり、作業負担を軽減させることができる。
【００２１】
図６（ｂ）のパネル６ｄは、長さが他のパネル６ａ等の半分であるが、これは図示の便宜のため、構造体１１は全体の一部を図示したためである。すなわち、パネル６ｄは実際には、パネル６ｃと同様に横方向に延在している。なお、寸法調整が必要な場合は、パネル６を切断して用いればよい。
【００２２】
図６（ｃ）は、多数の吸音体１の一部をパネル６に設置した状態を示しており、図６（ｄ）は、吸音体１の設置が進んだ状態を示しており、図６（ｅ）は、吸音体１の設置がさらに進んだ状態を示している。図６（ｅ）の状態からさらにパネル６に吸音体１を設置して、パネル６全体に吸音体１を設置してもよい。パネル６全体に吸音体１を設置しない場合は、露出したパネル６の穴７をパテ等で埋めて壁紙等の表面処理をすればよい。
【００２３】
吸音体１のパネル６への設置は、図５に示した装着手段８をパネル６の穴７に装着することにより行う。図７〜図９は装着手段８をパネル６の穴７に装着する直前の状態の各種例を示している。これらの各図では、吸音体１は分解状態で図示しているが、吸音体１のパネル６への設置の際には、一旦取付体２をパネル６へ取り付けた後、取付体２にケース体３を固定してもよく、図４のようにあらかじめ吸音体１を組み立てた状態で、パネル６へ設置してもよい。また、装着手段８のみを先行してパネル６へ装着し、装着手段８に吸音体１を固定してもよい。
【００２４】
本実施形態では、パネル６の穴７の位置に装着手段８を介して吸音体１を設置すればよいので、位置決め、位置合わせ等の調整作業は簡素化され、設置作業の時間も手間も軽減される。また、吸音体１を一旦設置した後であっても、装着手段８を取り外して設置位置を変更できるので、設置状態を確認しながら適宜配置変更が可能になり、配置の自由度が高くなる。
【００２５】
また、吸音体セット１０を用いた吸音体１の設置方法は、図６(ａ)〜（e）の施工・設置例のように、建築物の施工時にパネル６をあらかじめ固定しておく設置方法に適している。この設置方法によれば、パネル建材に代えてパネル６を用いるので、パネル建材自体が不要になるとともに、パネル建材の固定作業も不要になる。加えて、吸音体１の設置可能性のある部分に広範囲にパネル６を固定しておけば、後は必要な範囲を適宜選択して吸音体１を固定すればよいので、所望のレイアウトを実現し易くなる。パネル６に吸音体１を設置しない余剰部分ができても、前記のとおりパネル６の穴７をパテ等で埋めて壁紙等の表面処理をすればよい。
【００２６】
図７は、１枚のパネル６上に吸音体１を設置する例を示している。図８は２枚のパネル６に跨って、吸音体１を設置する例を示している。図９は４枚のパネル６に跨って、吸音体１を設置する例を示している。これらの各図に示したように、吸音体１の設置は、１枚のパネル６上のみに限られるのではなく、他のパネル６に跨って設置することが可能になる。このことにより、吸音体１の配置の自由度が高まるとともに、吸音体１の配置を変更する際の配置の自由度も高まる。
【００２７】
本実施形態では、前記のように、吸音体１を他のパネル６に跨って設置することが可能になるように、パネル６の穴７の配置を設定している。図７において、パネル６は、縦方向（矢印ａ方向）に縦ピッチＰ１で配列された穴７の列を複数形成し、かつ横方向（矢印ｂ方向）に横ピッチＰ２で配列された穴７の列を複数形成している。そして、縦ピッチＰ１の穴７の列において、両端の各穴７とパネル６の縦方向の端部との最短距離が、縦ピッチＰ１の１／２とし、横ピッチＰ２の穴７の列において、両端の各穴７とパネル６の横方向の端部との最短距離が、横ピッチＰ２の１／２としている。このような穴７の配置により、図８及び図９に示したような他のパネル６に跨った吸音体１の設置が可能になる。
【００２８】
次に、吸音体１の外観形状について説明する。図１では、ケース体３の外観はは、円形の凹部を形成したものであるが、この形状に限るものではない。図１０及び図１１にケース体３の外観形状の別の例を示している。図１０は、ケース体３の表面を凹凸が交互に並んだ形状としたものであり、図１１は、ケース体３の表面を四角形の凹部を碁盤目状に配置したものである。本実施形態では、前記のとおり、取付体２に形成した多数の凸部５（図２参照）により吸音構造を実現している。すなわち、吸音効果は取付体２の形状で確保すればよく、ケース体３の外観形状は、必ずしも吸音効果の高いものとする必要がなく、ケース体３は形状の制約を受けにくい。このため、ケース体３の外観形状は意匠的効果を意識したものにすることができ、吸音体１を設置したときに見栄えのよいものとしたり、好みに応じたものにすることができる。
【００２９】
ケース体３の外観の一部の形状を変更しても、基本形状は同じであるので、外観形状毎に金型全体を用意する必要はなく、変更部分に対応する部分のみ金型を交換すればよい。このため、本実施形態のように、吸音体１を取付体２にケース体３を組み合わせる構成とすれば、外観形状の変更が容易になり、意匠的効果の発揮にも有利になる。すなわち、ケース体３の外観は図１、図１０及び図１１のものに限られることなく様々な外観とすることができる。また、図５において、取付体２にケース体３を組み合わせると、取付体２の表面はケース体３で覆われて隠れるので、図１に示したように吸音体１の内部構造は外側からは見えなくなる。このため、装着手段８も吸音構造（図２の凸部５参照）も隠れ、このことは意匠的効果の発揮に役立つとともに、前記の吸音構造に埃が堆積することも防止できる。
【００３０】
以上、本実施形態について説明し、本実施形態では吸音体１は、取付体２にケース体３を組み合わせたものであったが、これに限るものでなく、単体で吸音体を構成したものであってもよい。吸音体１が単体であっても、前記のような設置作業の時間も手間も軽減される効果や設置の自由度が高くなる効果は特別変わることはない。
【符号の説明】
【００３１】
１  吸音体
２  取付体
３  ケース体
４  穴
５  凸部
６  パネル
７  穴
１０  吸音体セット
１１  構造体
【要約】      （修正有）【課題】設置作業の手間を軽減でき配置の自由度の高い吸音体セット及び吸音体の設置方法を提供する。【解決手段】室内の音を吸音するための建築物用の吸音体セット１０であって、吸音体１と、吸音体１の設置対象物であるパネル６と、吸音体１をパネル６に設置するための装着手段とを備える。パネル６は、所定ピッチで穴７が配列され、装着手段をパネル６の穴７に装着し、吸音体１をパネル６に設置する。構造体６にパネルを固定した後は、パネル６の穴７の位置に装着手段を合わせて吸音体を設置することにより、位置決め、位置合わせ等の調整作業は不要になり、設置作業の時間も手間も軽減され、一旦設置した後であっても、取り外して設置位置を変更できる。【選択図】図４【図１】
0005848838.tif 000002
【図２】
0005848838.tif 000003
【図３】
0005848838.tif 000004
【図４】
0005848838.tif 000005
【図５】
0005848838.tif 000006
【図６】
0005848838.tif 000007
【図７】
0005848838.tif 000008
【図８】
0005848838.tif 000009
【図９】
0005848838.tif 000010
【図１０】
0005848838.tif 000011
【図１１】
0005848838.tif 000012